(57)【特許請求の範囲】
【請求項１】
外装部の上端部及び下端部に凸面状の回動軸部を設けた表示装置と、
凹面状の軸受部を設けた第１のスタンド及び凹面状の軸受部を設けた第２のスタンドと、を備え、
前記表示装置の一方の回動軸部及び前記第１のスタンドの軸受部のうちの少なくとも一方に設けた磁石の磁力により前記表示装置の一方の回動軸部が前記第１のスタンドの軸受部に対して着脱自在であり、かつ、前記表示装置の一方の回動軸部を前記第１のスタンドの軸受部に取り付けた状態にて当該一方の回動軸部を軸に前記表示装置が前記第１のスタンドに対して回動自在であり、
前記表示装置の他方の回動軸部及び前記第２のスタンドの軸受部のうちの少なくとも一方に設けた磁石の磁力により前記表示装置の他方の回動軸部が前記第２のスタンドの軸受部に対して着脱自在であり、かつ、前記表示装置の他方の回動軸部を前記第２のスタンドの軸受部に取り付けた状態にて当該他方の回動軸部を軸に前記表示装置が前記第２のスタンドに対して回動自在である
ことを特徴とする表示システム。
【請求項２】
外装部の上端部及び下端部に凹面状の軸受部を設けた表示装置と、
凸面状の回動軸部を設けた第１のスタンド及び凸面状の回動軸部を設けた第２のスタンドと、を備え、
前記表示装置の一方の軸受部及び前記第１のスタンドの回動軸部のうちの少なくとも一方に設けた磁石の磁力により前記表示装置の一方の軸受部が前記第１のスタンドの回動軸部に対して着脱自在であり、かつ、前記表示装置の一方の軸受部を前記第１のスタンドの回動軸部に取り付けた状態にて当該第１のスタンドの回動軸部を軸に前記表示装置が当該第１のスタンドに対して回動自在であり、
前記表示装置の他方の軸受部及び前記第２のスタンドの回動軸部のうちの少なくとも一方に設けた磁石の磁力により前記表示装置の他方の軸受部が前記第２のスタンドの回動軸部に対して着脱自在であり、かつ、前記表示装置の他方の軸受部を前記第２のスタンドの回動軸部に取り付けた状態にて当該第２のスタンドの回動軸部を軸に前記表示装置が当該第２のスタンドに対して回動自在である
ことを特徴とする表示システム。
【請求項３】
外装部の上端部に凸面状の回動軸部を設けるとともに、前記外装部の下端部に凹面状の軸受部を設けた表示装置と、
凹面状の軸受部を設けた第１のスタンドと、
凸面状の回動軸部を設けた第２のスタンドと、を備え、
前記表示装置の回動軸部及び前記第１のスタンドの軸受部のうちの少なくとも一方に設けた磁石の磁力により前記表示装置の回動軸部が前記第１のスタンドの軸受部に対して着脱自在であり、かつ、前記表示装置の回動軸部を前記第１のスタンドの軸受部に取り付けた状態にて当該表示装置の回動軸部を軸に当該表示装置が前記第１のスタンドに対して回動自在であり、
前記表示装置の軸受部及び前記第２のスタンドの回動軸部のうちの少なくとも一方に設けた磁石の磁力により前記表示装置の軸受部が前記第２のスタンドの回動軸部に対して着脱自在であり、かつ、前記表示装置の軸受部を前記第２のスタンドの回動軸部に取り付けた状態にて当該第２のスタンドの回動軸部を軸に前記表示装置が当該第２のスタンドに対して回動自在である
ことを特徴とする表示システム。
【請求項４】
前記表示装置は、駆動用のバッテリと前記バッテリの無線充電用の受信部とを有し、
前記第１のスタンド及び前記第２のスタンドは、前記バッテリの無線充電用の送信部を有し、
前記表示装置を前記第１のスタンド又は前記第２のスタンドに取り付けた状態にて、前記送信部から前記受信部への無線電力伝送により前記バッテリが充電される
ことを特徴とする請求項１から請求項３のうちいずれか１項記載の表示システム。
【請求項５】
前記表示装置は、前記第１のスタンド又は前記第２のスタンドに取り付けた状態及び前記第１のスタンド又は前記第２のスタンドから取り外した状態の両方の状態にて前記表示装置の機能を果たすものであることを特徴とする請求項１から請求項４のうちいずれか１項記載の表示システム。
【請求項６】
前記第１のスタンド及び前記第２のスタンドは、車両に取り付けられ又は車両と一体に形成されていることを特徴とする請求項１から請求項５のうちのいずれか１項記載の表示システム。
【請求項７】
外装部の上端部及び下端部に設けた回動軸部と、
前記両回動軸部に設けた磁石と、を備え、
前記両回動軸部のうちの一方の回動軸部は、前記磁石の磁力により、表示装置本体と別体の第１の被取付部材に設けられた凹面状の軸受部に対して着脱自在であり、かつ、前記一方の回動軸部を前記第１の被取付部材の軸受部に取り付けた状態にて当該一方の回動軸部を軸に前記表示装置本体が前記第１の被取付部材に対して回動自在な凸面形状を有し、
前記両回動軸部のうちの他方の回動軸部は、前記磁石の磁力により、表示装置本体と別体の第２の被取付部材に設けられた凹面状の軸受部に対して着脱自在であり、かつ、前記他方の回動軸部を前記第２の被取付部材の軸受部に取り付けた状態にて当該他方の回動軸部を軸に前記表示装置本体が前記第２の被取付部材に対して回動自在な凸面形状を有する
ことを特徴とする表示装置。
【請求項８】
外装部の上端部及び下端部に設けた軸受部と、
前記両軸受部に設けた磁石と、を備え、
前記両軸受部のうちの一方の軸受部は、前記磁石の磁力により、表示装置本体と別体の第１の被取付部材に設けられた凸面状の回動軸部に対して着脱自在であり、かつ、前記一方の軸受部を前記第１の被取付部材の回動軸部に取り付けた状態にて当該第１の被取付部材の回動軸部を軸に前記表示装置本体が当該第１の被取付部材に対して回動自在な凹面形状を有し、
前記両軸受部のうちの他方の軸受部は、前記磁石の磁力により、表示装置本体と別体の第２の被取付部材に設けられた凸面状の回動軸部に対して着脱自在であり、かつ、前記他方の軸受部を前記第２の被取付部材の回動軸部に取り付けた状態にて当該第２の被取付部材の回動軸部を軸に前記表示装置本体が当該第２の被取付部材に対して回動自在な凹面形状を有する
ことを特徴とする表示装置。
【請求項９】
外装部の上端部に設けた回動軸部と、
外装部の下端部に設けた軸受部と、
前記回動軸部及び前記軸受部に設けた磁石と、を備え、
前記回動軸部は、前記磁石の磁力により、表示装置本体と別体の第１の被取付部材に設けられた凹面状の軸受部に対して着脱自在であり、かつ、前記回動軸部を前記第１の被取付部材の軸受部に取り付けた状態にて当該回動軸部を軸に前記表示装置本体が前記第１の被取付部材に対して回動自在な凸面形状を有し、
前記表示装置の軸受部は、前記磁石の磁力により、表示装置本体と別体の第２の被取付部材に設けられた凸面状の回動軸部に対して着脱自在であり、かつ、前記表示装置の軸受部を前記第２の被取付部材の回動軸部に取り付けた状態にて当該第２の被取付部材の回動軸部を軸に前記表示装置本体が当該第２の被取付部材に対して回動自在な凹面形状を有する
ことを特徴とする表示装置。
【請求項１０】
駆動用のバッテリと、
前記バッテリの無線充電用の受信部と、を備え、
前記表示装置本体を前記第１の被取付部材又は前記第２の被取付部材に取り付けた状態にて、前記第１の被取付部材及び前記第２の被取付部材に設けた送信部から前記受信部への無線電力伝送により前記バッテリが充電される
ことを特徴とする請求項７から請求項９のうちいずれか１項記載の表示装置。
【発明の詳細な説明】
【技術分野】
【０００１】
本発明は、表示装置及びこの表示装置を含む表示システムに関する。
【背景技術】
【０００２】
近年、車載情報機器の性能が向上し、車両の走行経路を探索して当該走行経路の案内用の映像を表示する機能、テレビジョン放送の放送波を受信して当該テレビジョン放送の映像を表示する機能、電子媒体に記録された映像データを再生して当該映像データの映像を表示する機能、無線通信により受信した映像データを再生して当該映像データの映像を表示する機能などを有している。車載情報機器を設けた車両には、これらの映像を表示する表示装置も設けられている。運転席又は助手席の搭乗者用の表示装置は、例えば、車載情報機器と一体に車両のダッシュボードに設けられている。
【０００３】
特許文献１には、車載用電子機器用の支持構造が開示されている。すなわち、ポータブルナビゲーション装置の背面に磁性体からなる第１の吸着プレートを配設する。一方、スタンドを車両内部のダッシュボード上面にマグネットシートと吸着プレートとの吸着関係で固定させる。スタンドの支持プレートの外面にはマグネットシートが配設されており、ポータブルナビゲーション装置はその背面の第１の吸着プレートと支持プレートのマグネットシートとの吸着関係で保持される。このように、磁石による吸着力を利用することで、車載用電子機器をより好適な位置に配置できるようにしている。また、特許文献１には、スタンドにヒンジ機構を設けることで、車載用電子機器を回動自在に支持する構造も開示されている。
【先行技術文献】
【特許文献】
【０００４】
【特許文献１】特開２０１２−２５１７７号公報
【発明の概要】
【発明が解決しようとする課題】
【０００５】
いわゆる「リアシートエンターテインメントシステム（Ｒｅａｒ  Ｓｅａｔ  Ｅｎｔｅｒｔａｉｎｍｅｎｔ  ｓｙｓｔｅｍ，ＲＳＥ）」などを搭載した車両は、運転席及び助手席用の表示装置と別体に後部座席用の表示装置が設けられている。後部座席用の表示装置は、例えば、車両の天井部又は運転席若しくは助手席の背面部に設けられている。後部座席用の表示装置は回動自在に取り付けられており、使用時に表示部の角度を調節したり、不使用時に表示装置全体が天井部又は背面部に沿う状態とすることで省スペース化を図ったりすることができる。
【０００６】
後部座席用の表示装置は、個数が少ないと搭乗者が表示部を見難いことがあり、個数を増やすとコストが増加する問題がある。例えば、２人用の後部座席に対して車両天井の中央部に１個の表示装置を配置した場合、後部座席の搭乗者が２人とも斜め上を見上げることになり、不自然な姿勢で視聴を継続することになる。また、運転席及び助手席の背面部にそれぞれ表示装置を設けた場合、後部座席の２人の搭乗者の両方が映像を視聴することができるものの、２台の表示装置によりコストが増加する。すなわち、後部座席用の表示装置は、後部座席の搭乗者の人数及び乗車位置などに応じて取付位置を可変とし、取付位置の自由度を向上するのが望ましい。
【０００７】
この問題に対し、特許文献１のような磁石を用いた支持構造を後部座席用の表示装置に適用することで、表示装置の取付位置を可変とすることが考えられる。しかしながら、特許文献１の支持構造は、スタンドに設けたヒンジ機構により車載用電子機器を回動させるものである。ヒンジ機構は部品点数が多く、また組立工程が複雑であるため、製造コストが増加する問題があった。
【０００８】
本発明は、上記のような課題を解決するためになされたものであり、表示装置の取付位置の自由度を向上しつつ、簡単な構造で表示装置を回動させることができる表示システムを提供することを目的とする。また、この表示システム用の表示装置を提供することを目的とする。
【課題を解決するための手段】
【０００９】
本発明の表示システムは、外装部の上端部及び下端部に凸面状の回動軸部を設けた表示装置と、凹面状の軸受部を設けた第１のスタンド及び凹面状の軸受部を設けた第２のスタンドと、を備え、表示装置の一方の回動軸部及び第１のスタンドの軸受部のうちの少なくとも一方に設けた磁石の磁力により表示装置の一方の回動軸部が第１のスタンドの軸受部に対して着脱自在であり、かつ、表示装置の一方の回動軸部を第１のスタンドの軸受部に取り付けた状態にて当該一方の回動軸部を軸に表示装置が第１のスタンドに対して回動自在である。
また、表示装置の他方の回動軸部及び第２のスタンドの軸受部のうちの少なくとも一方に設けた磁石の磁力により表示装置の他方の回動軸部が第２のスタンドの軸受部に対して着脱自在であり、かつ、表示装置の他方の回動軸部を第２のスタンドの軸受部に取り付けた状態にて当該他方の回動軸部を軸に表示装置が第２のスタンドに対して回動自在なものである。
【００１０】
本発明の表示装置は、外装部の上端部及び下端部に設けた回動軸部と、両回動軸部に設けた磁石と、を備え、両回動軸部のうちの一方の回動軸部は、磁石の磁力により、表示装置本体と別体の第１の被取付部材に設けられた凹面状の軸受部に対して着脱自在であり、かつ、一方の回動軸部を第１の被取付部材の軸受部に取り付けた状態にて当該一方の回動軸部を軸に表示装置本体が第１の被取付部材に対して回動自在な凸面形状を有する。
また、両回動軸部のうちの他方の回動軸部は、磁石の磁力により、表示装置本体と別体の第２の被取付部材に設けられた凹面状の軸受部に対して着脱自在であり、かつ、他方の回動軸部を第２の被取付部材の軸受部に取り付けた状態にて当該他方の回動軸部を軸に表示装置本体が第２の被取付部材に対して回動自在な凸面形状を有するものである。
【発明の効果】
【００１１】
本発明の表示システムは、上記のように構成したので、表示装置の取付位置の自由度を向上しつつ、簡単な構造で表示装置を回動させることができる。また、本発明によれば、この表示システム用の表示装置を得ることができる。
【図面の簡単な説明】
【００１２】
【図１】本発明の実施の形態１に係る表示システムの正面図である。
【図２】本発明の実施の形態１に係る表示システムの側面図である。
【図３】本発明の実施の形態１に係る表示システムを車両の運転席の背面部に設けた状態を示す説明図である。
【図４】本発明の実施の形態１に係る表示システムを車両の天井部に設けた状態を示す説明図である。
【図５】本発明の実施の形態１に係る他の表示システムの正面図である。
【図６】本発明の実施の形態１に係る他の表示システムの側面図である。
【図７】本発明の実施の形態１に係る他の表示システムの正面図である。
【図８】本発明の実施の形態１に係る他の表示システムの正面図である。
【図９】本発明の実施の形態１に係る他の表示システムを車両の運転席の背面部に設けた状態を示す説明図である。
【図１０】本発明の実施の形態１に係る他の表示システムを車両の天井部に設けた状態を示す説明図である。
【図１１】本発明の実施の形態１に係る他の表示装置の側面図である。
【図１２】本発明の実施の形態１に係る他の表示装置の側面図である。
【図１３】本発明の実施の形態２に係る表示システムを車両の運転席の背面部に設けた状態を示す説明図である。
【図１４】本発明の実施の形態２に係る表示システムを車両の天井部に設けた状態を示す説明図である。
【図１５】本発明の実施の形態３に係る表示システムの正面図である。
【図１６】本発明の実施の形態３に係る表示システムの側面図である。
【図１７】本発明の実施の形態３に係る他の表示システムの側面図である。
【図１８】本発明の実施の形態３に係る他の表示システムの側面図である。
【発明を実施するための形態】
【００１３】
実施の形態１．
図１は、本発明の実施の形態１に係る表示システムの正面図である。図２は、本発明の実施の形態１に係る表示システムの側面図である。図１及び図２に示す如く、表示装置１及びスタンド２により表示システム１００が構成されている。図１及び図２を参照して、実施の形態１の表示装置１及び表示システム１００について説明する。
【００１４】
表示装置１は、外形が略矩形板状であり、片面に表示部１１を有している。表示部１１は、例えば、液晶ディスプレイ、有機ＥＬ（Ｅｌｅｃｔｒｏ−Ｌｕｍｉｎｅｓｃｅｎｃｅ）ディスプレイ又はプラズマディスプレイなどのフラットパネルディスプレイ（Ｆｌａｔ  Ｐａｎｅｌ  Ｄｉｓｐｌａｙ，ＦＰＤ）により構成されている。表示装置１の表示部１１を除く外装部は、金属又は樹脂製の筐体により覆われている。
【００１５】
表示装置１は、ディスクメディア又はメモリーカードなどの電子媒体を挿入自在なスロット、及び、ＵＳＢ（Ｕｎｉｖｅｒｓａｌ  Ｓｅｒｉａｌ  Ｂｕｓ）フラッシュドライブなどの電子媒体を挿抜自在なポートを有している。また、表示装置１は、無線ＬＡＮ（Ｌｏｃａｌ  Ａｒｅａ  Ｎｅｔｗｏｒｋ）規格又はＢｌｕｅｔｏｏｔｈ（登録商標）規格などに基づく近距離無線通信用の送信機及び受信機を内蔵している。表示装置１に内蔵された電子回路基板には、表示部１１の駆動回路に加えて、電子媒体に記録された映像データ又は近距離無線通信により受信した映像データを再生して表示部１１に表示させる処理回路又はプロセッサが実装されている。なお、図１及び図２において、これらの部材は図示を省略している。
【００１６】
表示装置１の外装部は、矩形の４辺のうちの少なくとも１辺に対応する端部が、いわゆる「甲丸面」状又は「蒲鉾面」状などの、断面が円弧を含むように形成された凸面形状である。図１及び図２の例では、表示装置１の上端部及び下端部が甲丸面状である。甲丸面状の下端部により回動軸部１２が構成されており、回動軸部１２には磁石１３が設けられている。磁石１３は、例えば、フェライト磁石などの永久磁石により構成されている。  
【００１７】
スタンド２は、外形が略直方体状であり、直方体の６面のうちの１面に凹状の軸受部２１が形成されている。軸受部２１は、回動軸部１２の甲丸面に合わせた凹面形状であり、回動軸部１２の磁石１３に対して逆極性の磁石２２が設けられている。磁石２２は、例えば、フェライト磁石などの永久磁石により構成されている。
【００１８】
図中矢印Ａで示す如く、磁石１３，２２の磁力により、回動軸部１２は軸受部２１に対して着脱自在に取り付け可能である。また、軸受部２１が回動軸部１２の甲丸面に合わせた凹面形状であるため、回動軸部１２を軸受部２１に取り付けた状態にて、回動軸部１２を軸に表示装置１がスタンド２に対して回動自在である。
【００１９】
次に、図３及び図４を参照して、表示システム１００を車両の後部座席用の表示装置に適用した例について説明する。
図３に示す如く、車両の運転席３の背面部にスタンド２が取り付けられている。このスタンド２は、図示しないネジ又は接着剤などの適宜の固定手段により運転席３に固定されている。また、運転席３のスタンド２とは別に、図４に示す如く、車両の天井部４にスタンド２が取り付けられている。このスタンド２は、図示しないネジ又は接着剤などの適宜の固定手段により天井部４に固定されている。運転席３のスタンド２は軸受部２１が上面部に配置されており、天井部４のスタンド２は軸受部２１が下面部に配置されている。
【００２０】
表示装置１は、図３に示す如く運転席３のスタンド２に対して着脱自在に取り付け可能であり、かつ、図４に示す如く天井部４のスタンド２に対して着脱自在に取り付け可能である。また、表示装置１は、図３に矢印Ｂで示す如く運転席３のスタンド２に取り付けた状態にて運転席３に対して回動自在であり、かつ、図４に矢印Ｃで示す如く天井部４のスタンド２に取り付けた状態にて天井部４に対して回動自在である。なお、図３に示す表示装置１と図４に示す表示装置１とは上下逆様である。このため、表示装置１は、表示装置１本体の向きに応じて表示部１１の画面表示を回転させる、いわゆる「自動回転機能」を搭載するのが好適である。
【００２１】
また、運転席３のスタンド２及び天井部４のスタンド２とは別に、車両の助手席の背面部にもスタンド２が取り付けられている。このスタンド２は図３に示すスタンド２と同様であり、表示装置１の回動も図３と同様であるため、図示及び説明を省略する。
【００２２】
このように、車両の複数個の部位にスタンド２をそれぞれ取り付けて、表示装置１を各々のスタンド２に対して着脱自在とすることで、車両の搭乗者の人数及び乗車位置などに応じて表示装置１の取付位置を可変とすることができ、取付位置の自由度を向上することができる。また、車両の複数個の部位に表示装置をそれぞれ固定した構造と比較して、表示システム１００に含まれる表示装置１の個数を低減することができ、表示システム１００のコストを低減することができる。
【００２３】
また、表示装置１の回動軸部１２をスタンド２の軸受部２１に取り付けて、回動軸部１２を軸に表示装置１を回動させる構造により、スタンドにヒンジ機構を設けて表示装置を回動させる従来の構造と比較して、回動機構の部品点数を削減することができる。また、表示システム１００の製造工程においてヒンジ機構の組み立てを不要として、製造コストを低減することができる。さらに、従来の構造と比較してスタンド２を小型にすることができ、表示システム１００をコンパクトに構成することができる。一般に、車両の車室内は空間が制限されており、表示システム１００のコンパクト化が特に重要である。
【００２４】
なお、表示装置１は、矩形の４辺のうちの複数辺に対応する端部を回動軸部１２としたものでも良い。例えば、図５及び図６に示す如く、外装部の上端部及び下端部をそれぞれ甲丸面状の回動軸部１２とし、それぞれの回動軸部１２に磁石１３を設けたものとしても良い。２つの回動軸部１２は、いずれもスタンド２の軸受部２１に対して着脱自在である。これにより、表示装置１が画面表示の自動回転機能を有しない場合であっても、表示装置１を運転席３のスタンド２に取り付けた状態及び天井部４のスタンド２に取り付けた状態の両方の状態において画面の上下の向きを正常にすることができる。同様に、表示装置１は、外装部の左端部又は右端部を回動軸部１２としたものでも良い。
【００２５】
また、１つの回動軸部１２に設ける磁石１３の個数は１個に限定されるものではなく、複数個の磁石を設けたものでも良い。例えば、図７又は図８に示す如く、１つの回動軸部１２に２個の磁石１３を設けたものでも良い。このとき、図７に示す如く、２個の磁石１３にそれぞれ対応する２個のスタンド２を設けたものでも良く、図８に示す如く、２個の磁石１３にそれぞれ対応する２個の磁石２２を有する１個のスタンド２を設けたものでも良い。
【００２６】
また、スタンド２の形状は、図１〜図４に例示した形状に限定されるものではない。回動軸部１２に合わせた凹状の軸受部２１を有するものであれば、如何なる形状であっても良い。例えば、運転席３又は助手席の背面部に設けるスタンド２は、図９に示す如く、略直方体の角部を除去することで、いわゆる「匙面」状の軸受部２１が形成されたものでも良い。また、車両の天井部４に設けるスタンド２は、図１０に示す如く、肉厚を薄くして天井部４に埋め込まれたものとしても良い。このように、表示システム１００は、互いに形状の異なる複数個のスタンド２を含むものとしても良い。
【００２７】
また、磁石１３，２２は、表示装置１をスタンド２に取り付けた状態にて表示装置１を保持することができ、かつ、人間の手でスタンド２から表示装置１を取り外すことができる程度の磁力を有するものであれば良く、フェライト磁石に限定されるものではない。例えば、特に振動の激しい使用環境が想定される製品については、希土類磁石を用いることで表示装置１の保持力を向上したものでも良い。また、電源を確保できる使用環境が想定される製品については、永久磁石に代えて電磁石を用いたものでも良い。
【００２８】
さらに、磁石１３，２２に電磁石を用いる場合、回動軸部１２の接近、接触及び離脱動作を検出するセンサを軸受部２１に設けるか、又は軸受部２１の接近、接触及び離脱動作を検出するセンサを回動軸部１２に設けるとともに、これらのセンサの検出結果に応じて磁石１３，２２の通電量を制御する制御部を設けたものとしても良い。センサが接近、接触及び離脱動作のいずれも検出していない場合、制御部は磁石１３，２２の通電を停止する。これにより、磁石１３，２２の消費電力を低減することができる。センサが接近を検出すると、制御部は基準電流よりも弱い第１電流を磁石１３，２２に流す。これにより、ユーザはスタンド２に対する表示装置１の配置位置を微調整しながら取り付けることができる。センサが接触を検知すると、制御部は基準電流よりも強い第２電流を磁石１３，２２に流す。これにより、表示装置１の保持力を確保することができる。センサが離脱動作を検出すると、制御部は再び第１電流を磁石１３，２２に流す。これにより、ユーザは過度な力を加えることなく容易に表示装置１を取り外すことができる。
【００２９】
また、図１〜図４では、磁石１３を表示装置１内に設けた例を示したが、磁石１３は表示装置１外に露出したものであっても良い。同様に、図１〜図４では、磁石２２をスタンド２内に設けた例を示したが、磁石１３はスタンド２外に露出したものであっても良い。
【００３０】
また、表示装置１の磁石１３及びスタンド２の磁石２２のうちのいずれか一方に代えて、鉄又はマルテンサイト系ステンレス鋼などの強磁性の金属を設けたものでも良い。すなわち、表示装置１及びスタンド２のうちの少なくとも一方に磁石１３，２２を設けた構造であれば、回動軸部１２を軸受部２１に対して着脱自在とし、かつ、表示装置１をスタンド２に対して回動自在とすることができる。
【００３１】
また、スタンド２の取付位置は、車両の車室内の如何なる部位であっても良く、運転席３の背面部、天井部４及び助手席の背面部に限定されるものではない。例えば、スタンド２を車両の内壁部に取り付けたり、車両のドア部に取り付けたり、その他の車内設備に取り付けたりしたものでも良い。
【００３２】
また、図３及び図４では、スタンド２を車両の運転席３及び天井部４と別部材に形成して取り付ける構造を示したが、スタンド２は車両の運転席３、天井部４及び助手席などと一体に形成されたものであっても良い。スタンド２を車両と一体に形成することで、デザインを統一して美観を向上することができる。
【００３３】
また、表示装置１の外形は矩形板状に限定されるものではなく、回動軸部１２の配置位置は矩形の各辺に対応する端部に限定されるものではない。例えば、図１１に示す如く、表示装置１の下端部を裏面側に折り曲げた形状としても良い。または、図１２に示す如く、表示装置１の裏面に凸部を形成し、この凸部の先端部を甲丸面状にして回動軸部１２を形成したものでも良い。または、表示装置１の端部又は裏面部に２本の腕部を形成し、この腕部間に棒状の回動軸部１２を設けたものとしても良い。
【００３４】
また、表示装置１は、スタンド２に取り付けた状態にて表示装置１の機能を果たすとともに、スタンド２から取り外した状態にて表示装置１の機能を果たすものであっても良い。これにより、仮に複数個のスタンド２のうちのどのスタンド２に表示装置１を取り付けても車両の搭乗者が表示部１１を見難くなる状況において、搭乗者が表示装置１を手に持った状態で表示部１１の映像を視聴することができる。また、表示部１１と一体にタッチパネルを設けて、表示装置１が操作入力装置の機能を兼ねるシステム構成とした場合、表示装置１をスタンド２から取り外すことでタッチパネルの操作をより容易にすることができる。
【００３５】
また、表示システム１００の用途は、車両の後部座席用の表示装置に限定されるものではなく、車載用の表示装置に限定されるものでもない。すなわち、表示装置１本体とは別体の何らかの被取付部材にスタンド２の軸受部２１と同様の凹面状の軸受部が形成されており、この被取付部材にスタンド２と同様の磁石２２又は強磁性の金属が設けられていれば、表示装置１の回動軸部１２は被取付部材の軸受部に対して着脱自在であり、かつ、回動軸部１２を軸受部に取り付けた状態にて回動軸部１２を軸に表示装置１本体が被取付部材に対して回動自在である。この被取付部材は、表示装置１を使用し得る如何なる場所に配置された如何なる部材であっても良い。具体的には、例えば、住宅の各部屋に配置された部材にそれぞれ軸受部を形成したものでも良く、オフィスの会議室の各席に配置された部材にそれぞれ軸受部を形成したものでも良い。
【００３６】
以上のように、実施の形態１の表示システム１００は、外装部に凸面状の回動軸部１２を設けた表示装置１と、凹面状の軸受部２１を設けたスタンド２とを備える。回動軸部１２及び軸受部２１のうちの少なくとも一方に設けた磁石１３，２２の磁力により回動軸部１２が軸受部２１に対して着脱自在であり、かつ、回動軸部１２を軸受部２１に取り付けた状態にて回動軸部１２を軸に表示装置１がスタンド２に対して回動自在である。これにより、表示装置１の取付位置の自由度を向上しつつ、ヒンジ機構を用いた従来の構造よりも簡単な構造で表示装置１を回動させることができる。
【００３７】
また、表示システム１００は複数個のスタンド２を備え、表示装置１は各々のスタンド２に対して着脱自在である。これにより、複数個の表示装置を設けたシステム構成と比較して、表示システム１００全体のコストを低減することができる。
【００３８】
また、表示装置１は、スタンド２に取り付けた状態及びスタンド２から取り外した状態の両方の状態にて表示装置１の機能を果たすものである。これにより、スタンド２に表示装置１を取り付けると車両の搭乗者が表示部１１を見難くなる状況において、搭乗者が表示装置１を手に持った状態で表示部１１の映像を視聴することができる。
【００３９】
また、スタンド２は、車両に取り付けられ又は車両と一体に形成されている。一般に、車両の車室内は空間が限られており、また搭乗者の乗車位置及び荷物の装荷位置が随時変化するため、表示装置１の個数を低減しつつ取付位置を可変としたシステム構成が特に望まれている。実施の形態１の表示システム１００は、上記のとおり如何なる用途においても表示装置１の取付位置の自由度を向上しつつ、ヒンジ機構を不要とした簡単な構造で表示装置１を回動させることができるものであるが、特に車載用の表示装置に好適である。
【００４０】
また、実施の形態１の表示装置１は、外装部に設けた回動軸部１２と、回動軸部１２に設けた磁石１３とを備える。回動軸部１２は、磁石１３の磁力により、表示装置１本体と別体の被取付部材に設けられた凹面状の軸受部に対して着脱自在であり、かつ、回動軸部１２を軸受部に取り付けた状態にて回動軸部１２を軸に表示装置１本体が被取付部材に対して回動自在な凸面形状を有する。これにより、表示システム１００用の表示装置１を得ることができる。
【００４１】
実施の形態２．
図１３は、本発明の実施の形態２に係る表示システムを車両の運転席の背面部に設けた状態を示す説明図である。図１４は、本発明の実施の形態２に係る表示システムを車両の天井部に設けた状態を示す説明図である。図１３及び図１４を参照して、実施の形態２の表示システム１００について説明する。なお、図１〜図４に示す実施の形態１の表示システム１００と同様の構成部材には同一符号を付して説明を省略する。
【００４２】
表示装置１は、駆動用のバッテリ１４を内蔵している。また、表示装置１は、いわゆる「無線電力伝送（Ｗｉｒｅｌｅｓｓ  Ｐｏｗｅｒ  Ｔｒａｎｓｆｅｒ，ＷＰＴ）」用の受信部１５を内蔵しており、バッテリ１４と受信部１５間が電気的に接続されている。受信部１５は、回動軸部１２の近傍に配置されている。
【００４３】
スタンド２は、無線電力伝送用の送信部２３を内蔵している。送信部２３は、軸受部２１の近傍に配置されている。送信部２３は、車両に搭載されたバッテリ５と電気的に接続されている。このバッテリ５は、例えば、車載機器用の補機バッテリである。または、車両が電気自動車（Ｅｌｅｃｔｒｉｃ  Ｖｅｈｉｃｌｅ，ＥＶ）又はプラグインハイブリッド自動車（Ｐｌｕｇ−ｉｎ  Ｈｙｂｒｉｄ  Ｖｅｈｉｃｌｅ，ＰＨＶ）である場合、バッテリ５にＥＶ又はＰＨＶの駆動用のバッテリを用いて、バッテリ５と送信部２３間に降圧用の変圧器を設けたものとしても良い。
【００４４】
図１３及び図１４に示す如く、表示装置１をスタンド２に取り付けた状態にて、送信部２３から受信部１５への無線電力伝送により表示装置１のバッテリ１４が充電される。このように、表示装置１の無線充電に対応した表示システム１００を実現することができる。
【００４５】
仮に、表示装置１の回動軸部１２及びスタンド２の軸受部２１にそれぞれ電極用端子を設けて、表示装置１をスタンド２に取り付けた状態にて両端子間の接触によりバッテリ１４を充電する構造とした場合、回動軸部１２及び軸受部２１の形状が複雑になり、設計及び成型のコストが増加する。また、回動軸部１２に電極用端子が露出するため、表示装置１をスタンド２から取り外した状態で使用できるシステム構成としたとき、表示装置１を手で持ったユーザが違和感を覚える。これに対し、表示装置１のバッテリ１４を無線充電とすることで、回動軸部１２及び軸受部２１の形状を簡単にし、かつ、ユーザが表示装置１を手で持ったときの違和感を低減することができる。
【００４６】
なお、送信部２３と受信部１５間の無線電力伝送は、表示装置１のバッテリ１４を無線充電できるものであれば良く、如何なる方式のものであっても良い。また、送信部２３及び受信部１５の具体的な構造は、無線電力伝送の方式に応じたものであれば良い。例えば、無線電力伝送が電磁誘導方式である場合、送信部２３及び受信部１５にそれぞれトランスを設ける。または、無線電力伝送が磁界共振方式である場合、送信部２３及び受信部１５にそれぞれ共振用のコイルを設ける。または、無線電力伝送が電界共振方式である場合、送信部２３及び受信部１５にそれぞれ電極用の金属板を設ける。または、無線電力伝送がマイクロ波方式である場合、送信部２３にマイクロ波の送信機を設けるとともに、受信部１５にマイクロ波の受信機を設ける。
【００４７】
また、実施の形態１にて図５〜図１２を参照して説明したのと同様に、表示装置１及びスタンド２は種々の変形例を採用することができる。
【００４８】
また、表示システム１００の用途は、車両の後部座席用の表示装置に限定されるものではなく、車載用の表示装置に限定されるものでもない。すなわち、表示装置１本体と別体の何らかの被取付部材に、スタンド２の軸受部２１と同様の軸受部と、スタンド２の磁石２２と同様の磁石又は強磁性の金属と、スタンド２の送信部２３と同様の送信部とを設ける。表示装置１本体を被取付部材に取り付けた状態にて、被取付部材の送信部から表示装置１の受信部１５への無線電力伝送によりバッテリ１４を充電することができる。
【００４９】
また、バッテリ５は、送信部２３に給電する電源であれば如何なるものでも良く、車載用のバッテリに限定されるものではない。例えば、表示システム１００を住宅に設置する場合、バッテリ５に代えて家庭用電源を用いるとともに、家庭用電源と送信部２３間に整流器及び降圧用の変換器を設けたものとしても良い。
【００５０】
以上のように、実施の形態２の表示システム１００は、表示装置１が駆動用のバッテリ１４とバッテリ１４の無線充電用の受信部１５とを有し、スタンド２がバッテリ１４の無線充電用の送信部２３を有する。表示装置１をスタンド２に取り付けた状態にて、送信部２３から受信部１５への無線電力伝送によりバッテリ１４が充電される。これにより、表示装置１の無線充電に対応した表示システム１００を実現することができる。
【００５１】
また、実施の形態２の表示装置１は、駆動用のバッテリ１４と、バッテリ１４の無線充電用の受信部１５とを備える。表示装置１本体を被取付部材に取り付けた状態にて、被取付部材に設けた送信部から受信部１５への無線電力伝送によりバッテリ１４が充電される。これにより、表示システム１００用の表示装置１を得ることができる。
【００５２】
実施の形態３．
図１５は、本発明の実施の形態３に係る表示システムの正面図である。図１６は、本発明の実施の形態３に係る表示システムの側面図である。図１５及び図１６を参照して、実施の形態３の表示システム１００について説明する。なお、図１〜図４に示す実施の形態１の表示システム１００と同様の構成部材には同一符号を付して説明を省略する。
【００５３】
表示装置１の外装部は、矩形の４辺のうちの少なくとも１辺に対応する端部が、いわゆる「逆甲丸」状又は「逆蒲鉾」状などの、断面が円弧を含むように形成された凹面形状である。図１５及び図１６の例では、表示装置１の上端部が実施の形態１と同様の甲丸面状であり、下端部が逆甲丸状である。逆甲丸状の下端部により軸受部１６が構成されており、軸受部１６に磁石１３が設けられている。
【００５４】
スタンド２は、外形が略直方体状であり、直方体の６面のうちの１面に凸状の回動軸部２４が形成されている。回動軸部２４は、軸受部１６の逆甲丸に合わせた凸面形状であり、軸受部１６の磁石１３に対して逆極性の磁石２２が設けられている。
【００５５】
図中矢印Ａで示す如く、磁石１３，２２の磁力により、軸受部１６は回動軸部２４に対して着脱自在に取り付け可能である。また、回動軸部２４が軸受部１６の逆甲丸に合わせた凸面形状であるため、軸受部１６を回動軸部２４に取り付けた状態にて、回動軸部２４を軸に表示装置１がスタンド２に対して回動自在である。これにより、実施の形態１と同様に、表示装置１の取付位置を可変とすることができ、取付位置の自由度を向上することができる。また、スタンドにヒンジ機構を設けて表示装置を回動させる従来の構造と比較して、より簡単な構造で表示装置１を回動させることができる。
【００５６】
なお、表示装置１の磁石１３及びスタンド２の磁石２２のうちのいずれか一方に代えて、鉄又はマルテンサイト系ステンレス鋼などの強磁性の金属を設けたものでも良い。すなわち、表示装置１及びスタンド２のうちの少なくとも一方に磁石１３，２２を設けた構造であれば、軸受部１６を回動軸部２４に対して着脱自在とし、かつ、表示装置１をスタンド２に対して回動自在とすることができる。
【００５７】
また、表示装置１は、矩形の４辺のうちの複数辺に対応する端部を軸受部１６としたものでも良い。例えば、図１７に示す如く、外装部の上端部及び下端部をそれぞれ逆甲丸状の軸受部１６とし、それぞれの軸受部１６に磁石１３を設けたものとしても良い。２つの軸受部１６は、いずれもスタンド２の回動軸部２４に対して着脱自在である。同様に、外装部の左端部又は右端部を軸受部１６としたものでも良い。
【００５８】
また、実施の形態３の表示システム１００において、実施の形態２と同様に表示装置１を無線充電するシステム構成としても良い。すなわち、表示装置１に図１３及び図１４と同様のバッテリ１４及び受信部１５を設けるととともに、スタンド２に図１３及び図１４と同様の送信部２３を設ける。これにより、表示装置１の無線充電に対応した表示システム１００を実現することができる。
【００５９】
また、表示装置１は、実施の形態１で説明した回動軸部と、実施の形態３で説明した軸受部との両方を有するものであっても良い。例えば、図１８に示す如く、外装部の上端部に回動軸部１２を設けるとともに、下端部に軸受部１６を設けたものとしても良い。この場合、車両の天井部４には、軸受部２１を形成したスタンド２を取り付ける。車両の運転席３の背面部には、回動軸部２４を形成したスタンド２を取り付ける。これにより、表示装置１が画面表示の自動回転機能を有しない場合であっても、表示装置１を運転席３のスタンド２に取り付けた状態及び天井部４に取り付けた状態の両方の状態において画面の上下の向きを正常にすることができ、かつ、ユーザによる上下の向きの取り付け間違いを防ぐことができる。
【００６０】
また、表示システム１００の用途は、車両の後部座席用の表示装置に限定されるものではなく、車載用の表示装置に限定されるものでもない。すなわち、表示装置１本体とは別体の何らかの被取付部材にスタンド２の回動軸部２４と同様の凸状の回動軸部が形成されており、この被取付部材にスタンド２と同様の磁石２２又は強磁性の金属が設けられていれば、表示装置１の軸受部１６は被取付部材の回動軸部に対して着脱自在であり、かつ、軸受部１６を回動軸部に取り付けた状態にて回動軸部を軸に表示装置１本体が被取付部材に対して回動自在である。この被取付部材は、表示装置１を使用し得る如何なる場所に配置された如何なる部材であっても良い。
【００６１】
以上のように、実施の形態３の表示システム１００は、外装部に凹面状の軸受部１６を設けた表示装置１と、凸面状の回動軸部２４を設けたスタンドとを備える。軸受部１６及び回動軸部２４のうちの少なくとも一方に設けた磁石１３，２２の磁力により軸受部１６が回動軸部２４に対して着脱自在であり、かつ、軸受部１６を回動軸部２４に取り付けた状態にて回動軸部２４を軸に表示装置１がスタンド２に対して回動自在である。これにより、表示装置１の取付位置の自由度を向上しつつ、ヒンジ機構を用いた従来の構造よりも簡単な構造で表示装置１を回動させることができる。
【００６２】
また、実施の形態３の表示装置１は、外装部に設けた軸受部１６と、軸受部１６に設けた磁石１３とを備える。軸受部１６は、磁石１３の磁力により、表示装置１本体と別体の被取付部材に設けられた凸面状の回動軸部に対して着脱自在であり、かつ、軸受部１６を回動軸部に取り付けた状態にて回動軸部を軸に表示装置１本体が被取付部材に対して回動自在な凹面形状を有する。これにより、表示システム１００用の表示装置１を得ることができる。
【００６３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６４】
１  表示装置、２  スタンド、３  運転席、４  天井部、５  バッテリ、１１  表示部、１２  回動軸部、１３  磁石、１４  バッテリ、１５  受信部、１６  軸受部、２１  軸受部、２２  磁石、２３  送信部、２４  回動軸部、１００  表示システム。
【図１】
0006513013.tif 000002
【図２】
0006513013.tif 000003
【図３】
0006513013.tif 000004
【図４】
0006513013.tif 000005
【図５】
0006513013.tif 000006
【図６】
0006513013.tif 000007
【図７】
0006513013.tif 000008
【図８】
0006513013.tif 000009
【図９】
0006513013.tif 000010
【図１０】
0006513013.tif 000011
【図１１】
0006513013.tif 000012
【図１２】
0006513013.tif 000013
【図１３】
0006513013.tif 000014
【図１４】
0006513013.tif 000015
【図１５】
0006513013.tif 000016
【図１６】
0006513013.tif 000017
【図１７】
0006513013.tif 000018
【図１８】
0006513013.tif 000019